【手続補正書】
【提出日】平成29年10月3日(2017.10.3)
【手続補正１】
【補正対象書類名】特許請求の範囲
【補正対象項目名】全文
【補正方法】変更
【補正の内容】
【特許請求の範囲】
【請求項１】
タービンコントローラのハードウェアを解析するためのシステムであって、
ユーザー入力を受け取るユーザーインターフェースと、
前記ユーザーインターフェースからの第１のクエリおよび前記ユーザーインターフェースからのタービンコントローラ選択を受け取ることに基づいて、前記タービンコントローラのデバイスおよび信号に対応する情報の表現を生成するように構成されるタービンコントローラ解析アセンブリと、
を含み、
前記タービンコントローラ解析アセンブリは、前記ユーザーインターフェースから第１のタービンコントローラ変更モジュールに対応する第１のデータモジュール選択信号を受け取ることに基づいて、前記第１のタービンコントローラ変更モジュールを用いて前記タービンコントローラを変更するための材料表の表現を生成するようにさらに構成され、
前記ユーザーインターフェースは、前記タービンコントローラを表現する第１のアイコン、ならびにデバイスおよび信号解析機能を表現する第２のアイコンを表示するように構成され、
前記タービンコントローラ解析アセンブリは、前記ユーザーインターフェースのディスプレイ上で前記第２のアイコンと相互作用する前記第１のアイコンに基づいて、前記タービンコントローラの前記デバイスおよび信号に対応する前記情報の前記表現を生成するように構成される、
システム。
【請求項２】
前記ユーザーインターフェースは、入力／出力（Ｉ／Ｏ）システムライブラリを表現する第３のアイコンおよび前記第１のタービンコントローラ変更モジュールを表現する第４のアイコンを表示するように構成され、
前記タービンコントローラ解析アセンブリは、前記ユーザーインターフェースのディスプレイ上で前記第４のアイコンと相互作用する前記第３のアイコンに基づいて、前記材料表の前記表現を生成するように構成される、請求項１に記載のシステム。
【請求項３】
前記タービンコントローラの前記デバイスおよび信号に対応する前記情報は、前記第１のクエリの検索語を含む、前記タービンコントローラと関係する各デバイス名および信号名のリストを含む、請求項１または２に記載のシステム。
【請求項４】
前記タービンコントローラ解析アセンブリは、前記ユーザーインターフェースによって生成される第１の機能選択信号に応答して、前記タービンコントローラと接続されたタービンコントローラ変更モジュールとの間でデータを送信するために利用可能なデータＩ／Ｏコンタクトに対応する情報の表現を生成するようにさらに構成され、
前記利用可能なデータＩ／Ｏコンタクトは、前記第１の機能選択信号の生成時において、いかなるタービンコントローラ変更モジュールからも切り離されているデータＩ／Ｏコンタクトとして定義される、
請求項１から３いずれかに記載のシステム。
【請求項５】
前記タービンコントローラ解析アセンブリは、前記ユーザーインターフェースによって生成される第２の機能選択信号および第２のタービンコントローラ変更モジュールに対応する第２のデータモジュールに応答して、前記タービンコントローラとのデータ通信コンタクトから前記第２のデータモジュールを取り除くことに基づいてリリースされる前記タービンコントローラのメモリに対応する情報の表現を生成するようにさらに構成される、請求項１から４いずれかに記載のシステム。
【請求項６】
前記タービンコントローラ解析アセンブリは、前記ユーザーインターフェースによって生成される第３の機能選択信号に応答して、タービンコントローラ変更モジュールデータを受け取るための前記タービンコントローラで利用可能なメモリに対応する情報の表現を生成するようにさらに構成される、請求項１から５いずれかに記載のシステム。
【請求項７】
方法を実行するための少なくとも１つのプロセッサおよびメモリを含む計算システムを制御するためのコンピュータコードを格納した非一時的コンピュータ可読媒体であって、前記方法は、
前記少なくとも１つのプロセッサによって、ユーザーインターフェースからの第１のクエリおよび前記ユーザーインターフェースからのタービンコントローラ選択を受け取ることに基づいて、タービンコントローラのデバイスおよび信号に対応する情報の表現を生成するステップと、
前記少なくとも１つのプロセッサによって、前記ユーザーインターフェースから第１のタービンコントローラ変更モジュールに対応する第１のデータモジュール選択信号を受け取ることに基づいて、前記第１のタービンコントローラ変更モジュールを用いて前記タービンコントローラを変更するための材料表の表現を生成するステップと、
前記タービンコントローラを表現する第１のアイコン、ならびにデバイスおよび信号解析機能を表現する第２のアイコンを表示するステップと、
前記ユーザーインターフェースのディスプレイ上で前記第２のアイコンと相互作用する前記第１のアイコンに基づいて、前記タービンコントローラの前記デバイスおよび信号に対応する前記情報の前記表現を生成するステップと、
を含む、
コンピュータ可読媒体。
【請求項８】
前記方法は、
入力／出力（Ｉ／Ｏ）システムライブラリを表現する第３のアイコンおよび前記第１のタービンコントローラ変更モジュールを表現する第４のアイコンを表示するステップと、
前記ユーザーインターフェースのディスプレイ上で前記第４のアイコンと相互作用する前記第３のアイコンに基づいて、前記材料表の前記表現を生成するステップと、をさらに含む、請求項７に記載のコンピュータ可読媒体。
【請求項９】
前記タービンコントローラの前記デバイスおよび信号に対応する前記情報は、前記第１のクエリの検索語を含む、前記タービンコントローラと関係する各デバイス名および信号名のリストを含む、請求項７に記載のコンピュータ可読媒体。
【請求項１０】
前記方法は、
第１の機能選択信号に応答する前記少なくとも１つのプロセッサによって、前記タービンコントローラと接続されたタービンコントローラ変更モジュールとの間でデータを送信するために利用可能なデータＩ／Ｏコンタクトに対応する情報の表現を生成するステップをさらに含み、
前記利用可能なデータＩ／Ｏコンタクトは、前記第１の機能選択信号の生成時において、いかなるタービンコントローラ変更モジュールからも切り離されている、
請求項７に記載のコンピュータ可読媒体。
【請求項１１】
前記方法は、
第２の機能選択信号および第２のタービンコントローラ変更モジュールに対応する第２のデータモジュールに応答して、前記タービンコントローラとのデータ通信コンタクトから前記第２のデータモジュールを取り除くことに基づいてリリースされる前記タービンコントローラのメモリに対応する情報の表現を生成するステップをさらに含む、請求項７に記載のコンピュータ可読媒体。
【請求項１２】
前記方法は、
第３の機能選択信号に応答して、タービンコントローラ変更モジュールデータを受け取るための前記タービンコントローラで利用可能なメモリに対応する情報を生成するステップをさらに含む、請求項７に記載のコンピュータ可読媒体。
【請求項１３】
タービンコントローラのハードウェアを解析する方法であって、
少なくとも１つのプロセッサによって、ユーザーインターフェースからの第１のクエリおよび前記ユーザーインターフェースからのタービンコントローラ選択を受け取ることに基づいて、前記タービンコントローラのデバイスおよび信号に対応する情報の表現を生成するステップと、
前記少なくとも１つのプロセッサによって、前記ユーザーインターフェースから第１のタービンコントローラ変更モジュールに対応する第１のデータモジュール選択信号を受け取ることに基づいて、前記第１のタービンコントローラ変更モジュールを用いて前記タービンコントローラを変更するための材料表の表現を生成するステップと、
前記タービンコントローラを表現する第１のアイコン、ならびにデバイスおよび信号解析機能を表現する第２のアイコンを、前記ユーザーインターフェースのディスプレイに表示するステップと、
前記ユーザーインターフェースの前記ディスプレイ上で前記第２のアイコンと相互作用する前記第１のアイコンに基づいて、前記タービンコントローラの前記デバイスおよび信号に対応する前記情報の前記表現を、前記ユーザーインターフェースの前記ディスプレイ上で生成するステップと、
を含む、方法。
【請求項１４】
入力／出力（Ｉ／Ｏ）システムライブラリを表現する第３のアイコンおよび前記第１のタービンコントローラ変更モジュールを表現する第４のアイコンを、前記ユーザーインターフェースのディスプレイに表示するステップと、
前記ユーザーインターフェースのディスプレイ上で前記第４のアイコンと相互作用する前記第３のアイコンに基づいて、前記材料表の前記表現を、前記ユーザーインターフェースの前記ディスプレイ上で生成するステップと、
をさらに含む、請求項１３に記載の方法。
【請求項１５】
前記タービンコントローラの前記デバイスおよび信号に対応する前記情報は、前記第１のクエリの検索語を含む、前記タービンコントローラと関係する各デバイス名および信号名のリストを含む、請求項１３に記載の方法。
【請求項１６】
前記タービンコントローラと接続されたタービンコントローラ変更モジュールとの間でデータを送信するために利用可能なデータＩ／Ｏコンタクトに対応する情報の表現を、前記ユーザーインターフェースのディスプレイ上で生成するステップをさらに含み、
前記利用可能なデータＩ／Ｏコンタクトは、前記第１のデータモジュール選択信号の生成時において、いかなるタービンコントローラ変更モジュールからも切り離されている、
請求項１３に記載の方法。
【請求項１７】
第２の機能選択信号および第２のタービンコントローラ変更モジュールに対応する第２のデータモジュールに応答して、前記タービンコントローラとのデータ通信コンタクトから前記第２のデータモジュールを取り除くことに基づいてリリースされる前記タービンコントローラのメモリに対応する情報の表現を、前記ユーザーインターフェースのディスプレイ上で生成するステップをさらに含む、請求項１３に記載の方法。